(57)【特許請求の範囲】
【請求項１】
ＯＦＤＭ方式のデジタル通信システムの受信器において、
ａ)送信器から伝送された同位相と直角位相のチャンネル信号から各シンボルのＴＰＳパイロットの位相を計算する段階と、
ｂ)前記ａ)段階で計算された現在シンボルのＴＰＳパイロットと以前シンボルのＴＰＳパイロットとの位相差を求める段階と、
ｃ)前記ｂ)段階で求められた位相差に対して差分２進位相シフトキーイング復号化を行う段階と、
ｄ)前記ｃ)段階で復号化された一つのシンボル内のすべてのＴＰＳパイロットが同一であるかどうかを判断し、一つのシンボル内のすべてのＴＰＳパイロットが同一な場合、該シンボルの代表ＴＰＳパイロットを出力する段階と、
ｅ)以前フレームに当たるシンボルの代表ＴＰＳパイロットと現在フレームに当たる対応シンボルの代表ＴＰＳパイロットとを比較し、現在位置が同期ワード位置に当たるかを判断する段階と、
ｆ)前記ｅ)段階での判断結果、同期ワードの位置に当たる場合、シンボル数をカウントしてカウントされた値に応じてフレーム同期信号を発生させる段階とを含むことを特徴とするフレーム同期方法。
【請求項２】
ＯＦＤＭ方式のデジタル通信システムの受信器において、
受信された同位相と直角位相のチャンネル信号を入力されてシンボル内にあるＴＰＳパイロットの位相を計算して出力する位相計算手段と、
前記位相計算手段で計算されたＴＰＳパイロットの位相を入力されて差分２進位相シフトキーイング復調を行い、前記復調されたシンボル内にあるＴＰＳパイロットを出力する差分２進位相シフトキーイング復号手段と、
前記差分２進位相シフトキーイング復号手段で復号化されたＴＰＳパイロットを入力されてシンボル単位で各々比較し、その比較結果に応じる制御信号を出力する制御信号発生手段と、
前記制御信号発生手段から出力される制御信号に応じて、以前フレームに当たるシンボルの代表ＴＰＳパイロットと現在フレームに当たる対応シンボルの代表ＴＰＳパイロットとを比較して、フレーム毎に反転される同期ワードの位置を確認し、フレーム同期信号を出力するフレーム同期手段とを含むことを特徴とするフレーム同期装置。
【請求項３】
前記位相計算手段は、前記受信された同位相と直角位相のチャンネル信号に応じるＴＰＳパイロットの位相をルックアップテーブル状で格納されているメモリで具現することを特徴とする請求項２に記載のフレーム同期装置。
【請求項４】
前記差分２進位相シフトキーイング復号手段は、
前記位相計算手段からＴＰＳパイロットの位相を入力されて格納するための格納部と、
前記格納部から現在シンボルのＴＰＳパイロットの位相と以前シンボルのＴＰＳパイロットの位相との差を出力する減算部と、
前記減算部から出力される位相差に対して差分２進位相シフトキーイング復調を行い、前記復調されたＴＰＳパイロットを出力する差分２進位相シフトキーイング復調部とから構成されることを特徴とする請求項２に記載のフレーム同期装置。
【請求項５】
前記格納部は、一つのシンボル内のＴＰＳパイロットの数より一つ多い数に当たるＴＰＳパイロットの位相を格納するシフトレジスタで具現されることを特徴とする請求項４に記載のフレーム同期装置。
【請求項６】
前記制御信号発生手段は、
前記差分２進位相シフトキーイング復号手段から一つのシンボル内にある復調されたＴＰＳパイロットを入力されて格納するためのパイロット格納部と、
前記パイロット格納部から各々の復調されたＴＰＳパイロットを入力されて一つのシンボル内ですべて同一であるかを比較し、前記比較結果に応じる制御信号を発生させるパイロット比較部とから構成されることを特徴とする請求項２に記載のフレーム同期装置。
【請求項７】
前記パイロット比較部は、前記パイロット格納部から各々の復調されたＴＰＳパイロットを入力されて一つのシンボル内ですべて同一でない場合、前記フレーム同期手段をリセットさせる制御信号出力することを特徴とする請求項６に記載のフレーム同期装置。
【請求項８】
前記パイロット格納部は、一つのシンボル内に存在するＴＰＳパイロットに当たる数だけを格納するシフトレジスタで具現されることを特徴とする請求項６に記載のフレーム同期装置。
【請求項９】
前記フレーム同期手段は、
前記制御信号発生手段からシンボルの代表ＴＰＳパイロットを入力されて格納するためのＴＰＳパイロット格納部と、
以前フレームに当たるシンボルの代表ＴＰＳパイロットと現在フレームに当たる対応シンボルの代表ＴＰＳパイロットとを各々比較して同期ワードの位置を確認し、同期ワードの位置に当たる時に制御信号を出力するＴＰＳパイロット比較部と、
前記ＴＰＳパイロット比較部からの制御信号に応じてシンボルクロックをカウントし、前記カウントされた値に応じてフレーム同期信号を出力するカウンティング手段とから構成されることを特徴とする請求項２に記載のフレーム同期装置。
【請求項１０】
前記ＴＰＳパイロット格納部は、一つのフレームに当たるシンボル数より一つ多い数のＴＰＳパイロットを格納するシフトレジスタで具現されることを特徴とする請求項９に記載のフレーム同期装置。
【請求項１１】
前記ＴＰＳパイロット比較部は排他的論理和ゲートで具現されることを特徴とする請求項９に記載のフレーム同期装置。
【請求項１２】
前記カウンティング手段は４ビットカウンタで具現されることを特徴とする請求項９に記載のフレーム同期装置。
【発明の詳細な説明】
【０００１】
【発明の属する技術分野】
本発明は直交周波数分割多重化(orthogonal frequency division multiplexing：以下、ＯＦＤＭと略する)方式のデジタル通信システムの受信器に係り、特にＴＰＳ(Transmission Parameter Signalling：以下、ＴＰＳと略する)ブロックでフレーム毎に反転される同期ワードを用いて送受信端間のフレームを同期させるための方法及び装置に関する。
【０００２】
【従来の技術】
一般に、無線通信チャンネル及びデジタル高画質テレビ(以下、ＨＤＴＶという)の伝送チャンネルでは多重経路フェージングにより受信された信号でシンボル間の干渉(intersymbol interference：ＩＳＩ)が起こる。特に、ＨＤＴＶのようにデータが高速で伝送される場合、シンボル間の干渉は更に深化して受信側でのデータ復元時に深刻な誤謬を招く。この問題を解決する方法として、最近欧州ではデジタルオーディオ放送(ＤＡＢ)及びデジタル地上テレビ放送(ＤＴＴＢ)の伝送方式として多重経路フェージングに強力に動作できるＯＦＤＭ方式が提案されている。
【０００３】
ＯＦＤＭ方式では直列状で入力されるシンボル列が所定の単位ブロックに分割された後、前記分割された各ブロックのシンボル列がＮ個の並列シンボルに変換される。このＮ個の並列シンボルは逆高速フーリエ変換(inverse fast fourier transform)により各々異なる周波数を有する副搬送波を用いて多重化された後に加算されてチャンネルを通して伝送される。すなわち、Ｎ個の並列シンボルを一つの単位ブロックとして定義し、単位ブロックの各副搬送波は相互直交性を有するようにして副チャンネル間の影響を無くす。したがって、従来の単一搬送波伝送方式に比べると、同一なシンボル伝送率を保ちながらもシンボル周期を副チャンネル数(Ｎ)だけ増加させることができるので、多重経路フェージングによるシンボル間の干渉を減らし得る。特に、伝送されるシンボルの間に保護区間(Guard Interval：ＧＩ)を挿入する場合にはシンボル間の干渉を更に減らし得るので、チャンネル等化器の構造が非常に簡単化される長所もある。かつ、ＯＦＤＭ方式は従来のＦＤＭ(frequency division multiplexing)方式とは異なり各副チャンネルのスペクトルが相互重畳される特性があるため、帯域効率が高くスペクトルの形態が四角波状で電力が各周波数帯域に均一に分布して同一チャンネル干渉に強い長所もある。このようなＯＦＤＭ方式によく結合される変調方法としてはＰＡＭ(pulse amplitude modulation)、ＦＳＫ(frequency shift keying)、ＰＳＫ(phase shift keying)、ＱＡＭ(quadrature amplitude modulation)などがある。
【０００４】
図１（ａ）と図１（ｂ）は一般的なＯＦＤＭ信号の単位伝送シンボルのフォーマット図である。送信側から伝送されたシンボルは図１（ａ）のように有効区間(Useful Part)と保護区間(ＧＩ)とに分けられる。有効区間は有効なＯＦＤＭサンプルが伝送される区間であり、この有効区間の前端に保護区間が挿入されて、ＯＦＤＭサンプルをシンボル単位で区分するようになる。この保護区間では有効区間内の下位に位置した一部のサンプルを複写して用いる。ＤＴＴＢの規格によると、有効区間のサイズは高速フーリエトランスフォーム(以下、ＦＦＴと略する)のサイズに応じて２Ｋモードと８Ｋモードとに分けられ、２Ｋモードの場合には図１（ｂ）のように“２０４８”になる。かつ、保護区間のサイズはＦＦＴサイズの１／４、１／８、１／１６又は１／３２に分けられ、ＦＦＴサイズの１／４の場合には図１（ｂ）のように“５１２”になる。ここで、“２０４８”とは１７０５個の有効副搬送波と３４３個のナル(ＮＵＬＬ)副搬送波を合したものを意味する。そして、保護区間は有効区間の最後部分である１５３６番目のデータから２０４７番目のデータ(すなわち、５１２サイズ)を複写したものであり、このような保護区間は有効データの前方に挿入される。結局、単位伝送シンボルのサイズは有効区間“２０４８”と保護区間“５１２”の合計“２５６０”になる。
【０００５】
一方、ＤＶＢ規格によると、ＯＦＤＭ信号は各々６８個のＯＦＤＭシンボルよりなるフレームから構成され、このようなフレームが四つ集まって一つのスーパーフレームを構成する。かつ、各フレームには伝送されるデータと共に分散パイロットセル(Scattered Pilot Cells)、連続パイロット搬送波(Continual Pilot Carriers)、ＴＰＳパイロット等が含まれる。
【０００６】
ＯＦＤＭ通信システムの送信端ではＮ個のシンボルを１ブロック単位としてＩＦＦＴを行った後、次のフレーム単位に伝送し、受信端では送信端から伝送された同一なフレームに対してＦＦＴを行い元の情報を復元する。したがって、送受信端間のフレーム同期が相互に合わない場合、復元された情報に誤謬を発生させる問題点があった。
【０００７】
【発明が解決しようとする課題】
本発明は前記のような問題点を解決するために案出されたものであり、ＯＦＤＭ方式のデジタル通信システムの受信器において、ＴＰＳブロックでフレーム毎に反転される同期ワードを用いて送受信端間のフレームを同期させるための方法を提供することにその目的がある。
【０００８】
かつ、本発明の他の目的はＯＦＤＭ方式のデジタル通信システムの受信器において、前記フレーム同期方法を実現するに最適の装置を提供することである。
【０００９】
【課題を解決するための手段】
前記目的を達成するためにＯＦＤＭ方式のデジタル通信システムの受信器において本発明によるフレーム同期方法は、ａ)送信器から伝送された同位相と直角位相のチャンネル信号から各シンボルのＴＰＳパイロットの位相を計算する段階と、ｂ)前記ａ)段階で計算された現在シンボルのＴＰＳパイロットと以前シンボルのＴＰＳパイロットとの位相差を求める段階と、ｃ)前記ｂ)段階で求められた位相差に対して差分２進位相シフトキーイング復号化を行う段階と、ｄ)前記ｃ)段階で復号化された一つのシンボル内のすべてのＴＰＳパイロットが同一であるかどうかを判断し、一つのシンボル内のすべてのＴＰＳパイロットが同一な場合、該シンボルの代表ＴＰＳパイロットを出力する段階と、ｅ)以前フレームに当たるシンボルの代表ＴＰＳパイロットと現在フレームに当たる対応シンボルの代表ＰＴＳパイロットとを比較し、現在位置が同期ワード位置に当たるかを判断する段階と、ｆ)前記ｅ)段階での判断結果、同期ワードの位置に当たる場合、シンボル数をカウントしてカウントされた値に応じてフレーム同期信号を発生させる段階とを含むことを特徴とする。
【００１０】
前記他の目的を達成するためにＯＦＤＭ方式のデジタル通信システムの受信器において本発明によるフレーム同期装置は、受信された同位相と直角位相のチャンネル信号を入力されてシンボル内にあるＴＰＳパイロットの位相を計算して出力する位相計算手段と、前記位相計算手段で計算されたＴＰＳパイロットの位相を入力されて差分２進位相シフトキーイング復調を行い、前記復調されたシンボル内にあるＴＰＳパイロットを出力する差分２進位相シフトキーイング復号手段と、前記差分２進位相シフトキーイング復号手段から復号化されたＴＰＳパイロットを入力されてシンボル単位で各々比較した後、その比較結果に応じる制御信号を出力する制御信号発生手段と、前記制御信号発生手段から出力される制御信号に応じて、以前フレームに当たるシンボルの代表ＴＰＳパイロットと現在フレームに当たる対応シンボルの代表ＴＰＳパイロットとを比較し、同期ワードの位置を確認し、フレーム同期信号を出力するフレーム同期手段とを含むことを特徴とする。
【００１１】
【発明の実施の形態】
以下、本発明の実施形態を添付した図面に基づき更に詳細に説明する。
【００１２】
まず、ＦＦＴサイズの各モードに応じるＯＦＤＭパラメータを見てみると次の表１に示した通りである。
【００１３】
【表１】
0003882098.tif 000002
【００１４】
すなわち、シンボル周期(Ｔｓ)は副搬送波間隔の逆数に当たる周期(Ｔｕ)と保護区間に当たる周期(ΔＴ)とから構成される。
【００１５】
一方、本発明では多数のパイロット信号のうちＴＰＳパイロットを用いて送受信端間のフレーム同期を行うが、このＴＰＳパイロットは伝送に関わる情報、例えばＱＡＭ配列パターンのα値により定義された変調に関わる情報、階層情報、保護区間情報、内部コードレート情報、フレーム数に関わる情報等を受信端に伝送するために用いられる。ＦＦＴサイズが２Ｋモードの場合には１７個のＴＰＳパイロットが用いられ、８Ｋモードの場合には６８個のＴＰＳパイロットが用いられる。ＴＰＳパイロットのための副搬送波インデックスは次の表２に示した通りである。
【００１６】
【表２】
0003882098.tif 000003
【００１７】
図２は本発明に適用されるＯＦＤＭ信号のフレーム構造を示した図面であり、２Ｋモード、すなわちｋmin＝０でｋmax＝１７０４である場合を例示することにする。ＴＰＳパイロットの副搬送波は表２に示したように一つのシンボル内に１７個(ＴＰＳパイロット＃０〜ＴＰＳパイロット＃１６)ずつ存在し、一つのシンボル内に存在するすべてのＴＰＳデータは同一である。そして、一つのフレームは６８個のシンボルから構成されるので、一つのＴＰＳブロックは６８ビットのＴＰＳパイロットから構成される。
【００１８】
ここで、一つのＴＰＳブロック(６８ビット)のうち１ビットは初期化ビット、１６ビットは同期ビット、３７ビットは情報ビット、１４ビットは誤謬保護のための余分ビットから構成される。３７ビットの情報ビットのうち２３ビットが現在用いられ、残りの１４ビットは留保の意味ですべて“０”にセットされている。ＴＰＳブロックは次の表３に示したように伝送される。
【００１９】
【表３】
0003882098.tif 000004
【００２０】
表３を参照すると、ビット(Ｓ0)は差分−ＢＰＳＫ(differential-Binary Phase Shift Keying)変調のための初期化ビットのことを示す。１６個の(Ｓ1−Ｓ16)は同期ワードであり、各スーパーフレーム内の一番目と三番目のフレームはＳ1〜Ｓ16＝“0011010111101110”のような同期ワードを有し、二番目と四番目のフレームはＳ1〜Ｓ16＝“1100101000010001”のような同期ワードを有する。したがって、本発明ではＴＰＳブロックでフレーム毎に同期ワードが反転される特性を用いて送受信端間のフレーム同期を行う。
【００２１】
一方、一つのスーパーフレームは四つのフレームから構成されるが、二つのビット(Ｓ23,Ｓ24)に応じて次の表４のように分けられる。
【００２２】
【表４】
0003882098.tif 000005
【００２３】
ビットＳ25,Ｓ26は次の表５のように配列特徴を示す。
【００２４】
【表５】
0003882098.tif 000006
【００２５】
ビットＳ27,Ｓ28,Ｓ29は次の表６のように階層情報を示す。
【００２６】
【表６】
0003882098.tif 000007
【００２７】
すなわち、階層情報は伝送が階層的であるかどうかと、階層的な場合におけるα値を知らせるためのものである。
【００２８】
非階層チャンネルコーディングと変調は一つのコードレートに当たる信号を必要とする。このような場合コードレートを決定する三つのビットは次の表７に示した通りである。
【００２９】
【表７】
0003882098.tif 000008
【００３０】
ビットＳ36,Ｓ37は次の表８のように保護区間のサイズを示すものであり、本発明の一実施形態では便宜上Ｓ36,Ｓ37＝“１１”、すなわち、１／４に決める。
【００３１】
【表８】
0003882098.tif 000009
【００３２】
ビットＳ38,Ｓ39は次の表９のように伝送モードを示すものであり、本発明の一実施形態ではＳ38,Ｓ39＝“００”、すなわち、２Ｋモードに決める。
【００３３】
【表９】
0003882098.tif 000010
【００３４】
図３はＯＦＤＭ通信システムの受信器において本発明の一実施形態によるフレーム同期装置を示したブロック図であり、位相計算部１００、差分２進位相シフトキーイング(Ｄ−ＢＰＳＫ)復号部２００、制御信号発生部３００及びフレーム同期部４００から構成される。Ｄ−ＢＰＳＫ復号部２００は位相格納部２１０、減算部２２０及びＤ−ＢＰＳＫ復調部２３０から構成され、制御信号発生部３００はパイロット格納部３１０及びパイロット比較部３２０から構成され、フレーム同期部４００はＴＰＳパイロット格納部４１０、ＴＰＳパイロット比較部４２０及び係数部４３０から構成される。θn,pは現在(ｎ)シンボルのｐ番目のＴＰＳパイロットの位相を示し、θn-1,pは以前(ｎ-１)シンボルのｐ番目のＴＰＳパイロットの位相を示し、Δθnは現在(ｎ)シンボルのｐ番目のＴＰＳパイロットと以前(ｎ-１)シンボルのｐ番目のＴＰＳパイロットとの位相差を示し、Ｓn,pはｎシンボルのｐ番目のパイロットのＤ−ＢＰＳＫ復号化されたＴＰＳパイロットを示し、Ｓnはｎシンボルの代表ＴＰＳパイロットを示す。
【００３５】
図３を参照すると、位相計算部１００は伝送端から受信された同位相(Ｉ)と直角位相(Ｑ)のチャンネル信号を入力されて、現在ｎシンボル内にあるｐ番目のＴＰＳパイロットの位相(θn,p)を計算する。ここで、ｐは１から１７までを示す。この際に計算されたＴＰＳパイロットの位相(θn,p)はルックアップテーブル状で内部のＲＯＭ(図示せず)に格納される。
【００３６】
Ｄ−ＢＰＳＫ復号部２００は位相計算部１００で計算されたＴＰＳパイロットの位相(θn,p)を入力されてＤ−ＢＰＳＫ復号を行った後、前記復号されたシンボル内にあるＴＰＳパイロットを出力する。これを更に詳細に説明すると、位相格納部２１０では位相計算部１００で計算されたＴＰＳパイロットの位相を格納する。減算部２２０では位相格納部２１０から現在(ｎ)シンボルのｐ番目のＴＰＳパイロットの位相(θn,p)と以前(ｎ−１)シンボルのｐ番目のＴＰＳパイロットの位相(θn-1,p)を入力されて、両位相間の差(Δθn＝θn,p−θn-1,p)を計算して出力する。Ｄ−ＢＰＳＫ復調部２３０では減算部２２０から出力される位相差(Δθn)に対してＤ−ＢＰＳＫ復調を行った後、復調されたＴＰＳパイロットを出力する。ここで、位相格納部２１０は一つのシンボル内のＴＰＳパイロット数(２Ｋモード：１７個)より一つ多い数に当たる１８個のＴＰＳパイロットの位相を格納できるシフトレジスタで具現することができ、前記シフトレジスタには各ＴＰＳパイロットの位相値が１０ビット単位で格納される。
【００３７】
制御信号発生部３００はＤ−ＢＰＳＫ復号部２００で復号されたＴＰＳパイロット(Ｓn,p)を入力されて各々比較した後、前記比較結果に応じる制御信号を出力する。これを更に詳細に説明すると、パイロット格納部３１０ではＤ−ＢＰＳＫ復号部２００で復号された１７個のＴＰＳパイロット(Ｓn,p)を格納する。パイロット比較部３２０ではパイロット格納部３１０に格納された各々のＴＰＳパイロットがすべて同一であるかを比較する。この際、すべて同一な場合にはこれらのＴＰＳパイロットが一つのシンボルに属することを意味するので、該シンボル(ｎ)の代表ＴＰＳパイロット(Ｓn)を出力し、同一でない場合にはフレーム同期部４００をリセットさせるためのリセット信号を出力する。ここで、パイロット格納部３１０は一つのシンボル内に存在するＴＰＳパイロットに当たる数(１７個)だけ格納できる容量を有するシフトレジスタで具現することができる。
【００３８】
フレーム同期部４００は制御信号発生部３００から出力される比較結果に応じる信号を入力されて、フレーム毎に反転される性質を有する同期ワード(表３参照)の位置を確認した後、フレーム同期信号を出力する。これを更に詳細に説明すると、ＴＰＳパイロット格納部４１０では制御信号発生部３００から出力される現在フレームの６８個ＴＰＳパイロットと以前フレームの一つのＴＰＳパイロットを格納する。ＴＰＳパイロット比較部４２０では以前フレームのＴＰＳパイロット(Ｓn-68)と現在フレームのＴＰＳパイロット(Ｓn)とを比較して、前記比較結果に応じて同期ワードの位置を確認した後、同期ワードの位置に当たる時に制御信号を出力する。すなわち、ＴＰＳパイロット比較部４２０は以前フレームのＴＰＳパイロット(Ｓn-68)が現在フレームのＴＰＳパイロット(Ｓn)と異なる場合には同期ワード位置を意味する“１”を出力し、そうでない場合には“０”を出力する。係数部４３０ではＴＰＳパイロット比較部４２０から出力される制御信号に応じて入力されたシンボルクロックをカウントしてフレーム同期信号を出力する。ここで、ＴＰＳパイロット格納部４１０は一つのフレームに当たるシンボル数“６８”より一つ多い数“６９”のＴＰＳパイロットを格納できる容量を有するシフトレジスタで具現することができ、ＴＰＳパイロット比較部４２０は排他論理和ゲートで具現することができ、係数部４３０はフレーム毎に反転される１６ビットの同期ワード(表３参照)をカウントするために４ビットカウンタで具現することができる。
【００３９】
図４はＯＦＤＭ通信システムの受信器において本発明の一実施形態によるフレーム同期方法を説明するための流れ図であり、第１段階(Ｓ１)では同位相と直角位相のチャンネル信号を入力する。第２段階(Ｓ２)では第１段階(Ｓ１)で入力された同位相と直角位相のチャンネル信号に応じてＴＰＳパイロットの位相を計算する。第３段階(Ｓ３)では前記第２段階(Ｓ２)で計算された現在シンボルのＴＰＳパイロットの位相と以前シンボルのＴＰＳパイロットの位相との差を求める。第４段階(Ｓ４)では前記第３段階(Ｓ３)で求められた位相差に対して差分Ｄ−ＢＰＳＫ復号化を行う。第５段階(Ｓ５)では第４段階(Ｓ４)で復号化された一つのシンボル内のすべてのＴＰＳパイロット(Ｓn,p)が同一であるかを判断して同一でない場合には前記第１段階(Ｓ１)に戻る。前記第５段階(Ｓ５)での判断結果、復号化された一つのシンボル内のすべてのＴＰＳパイロットが同一な場合、第６段階(Ｓ６)では以前フレームに当たるシンボルの代表ＴＰＳパイロット(Ｓn-68)と現在フレームに当たる対応シンボルの代表ＴＰＳパイロット(Ｓn)とを比較し、現在位置がフレーム同期ワードの位置に当たるかを判断する。第７段階(Ｓ７)では前記第６段階(Ｓ６)での判断結果、フレーム同期ワードの位置に当たる場合、シンボル数をカウントし、第８段階(Ｓ８)ではカウント値が１６である場合、最終的にフレーム同期信号を出力する。
【００４０】
本発明の一実施形態ではＦＦＴサイズが２Ｋモードである場合に対して説明したが、ＦＦＴサイズが８Ｋモードの場合にも容易に適用することができる。
【００４１】
【発明の効果】
以上、述べたように本発明によると、ＯＦＤＭ方式のデジタル通信システムの受信器においてフレーム同期のための別途のハードウエアを備えなくてもフレーム毎に反転されるＴＰＳブロックの同期ワードを用いて効率よくフレーム同期を行うことにより、受信器全体にかかるコストを節減できる。
【図面の簡単な説明】
【図１】（ａ）と（ｂ）は一般的なＯＦＤＭ信号の単位伝送シンボルに対するフォーマット図である。
【図２】本発明に適用されるＯＦＤＭ信号のフレーム構造を示した図面である。
【図３】ＯＦＤＭ方式のデジタル通信システムの受信器において本発明によるフレーム同期装置の一実施形態によるブロック図である。
【図４】ＯＦＤＭ方式のデジタル通信システムの受信器において本発明によるフレーム同期方法を説明するための流れ図である。
【符号の説明】
１００  位相計算部
２００  差分２進位相シフトキーイング復号部
３００  制御信号発生部
４００  フレーム同期部
【図１】
0003882098.tif 000011
【図２】
0003882098.tif 000012
【図３】
0003882098.tif 000013
【図４】
0003882098.tif 000014